(57)【要約】【課題】ソフトスイッチングコンバータの補助回路を構成する補助スイッチのオン故障を検知し、素子破壊等を未然に防止することが可能なコンバータ制御装置を提供する。【解決手段】燃料電池１１０とコイルＬ１との間に、コイルＬ１に流れる電流（Ｌ１電流）を検知するための電流センサＳｉ１を設ける。コントローラは、電流センサＳｉ１によりＬ１電流を逐次検知し、検知されるＬ１電流がメモリ（図示略）に格納されている過電流閾値Ｉｔｈを超えたか否かを判断する。コントローラは、Ｌ１電流が過電流閾値Ｉｔｈを超えたと判断すると、第２スイッチング素子Ｓ２がオン故障していると判断し、この第２スイッチング素子Ｓ２を備えた補助回路２２ｂのコンバータ２５０（例えばＵ相コンバータなど）の駆動を停止することで、フェールセーフ動作を行う。
2010150338.tif 000002
【特許請求の範囲】
【請求項１】
燃料電池の出力電圧を制御する主昇圧回路と補助回路とを備えたソフトスイッチングコンバータの制御装置であって、
主昇圧回路を構成する主コイルに流れる電流を検出する電流センサと、
前記電流センサによって検知される電流が、設定される過電流閾値を超えている場合に前記補助回路を構成する補助スイッチがオン故障していると判断する判断手段と、
前記補助スイッチがオン故障していると判断された場合に、前記主昇圧回路の動作を停止するフェールセーフ手段と
を具備する、コンバータ制御装置。
【請求項２】
前記ソフトスイッチングコンバータは、
前記主昇圧回路と補助回路を、相毎に備えた多相ソフトスイッチングコンバータであり、
前記電流センサは、前記主コイルに流れる電流を相毎に検出し、
前記判断手段は、前記補助スイッチがオン故障しているか否かを相毎に判断し、
前記フェールセーフ手段は、前記補助スイッチがオン故障していると判断された相の駆動を停止し、残りの相を利用して駆動する、請求項１に記載のコンバータ制御装置。
【請求項３】
前記過電流閾値は、前記主コイルに与えられるデューティー指令、前記燃料電池の出力電流、及び出力電圧に基づき設定される、請求項１または２に記載のコンバータ制御装置。
【請求項４】
前記主昇圧回路は、
一端が前記燃料電池の高電位側の端子に接続された前記主コイルと、
一端が前記主コイルの他端に接続され、他端が前記燃料電池の低電位側の端子に接続された、スイッチングを行う主スイッチと、
カソードが前記主コイルの他端に接続された第一ダイオードと、
前記第一ダイオードのアノードと前記主スイッチの他端との間に設けられた平滑コンデンサとを有し、
前記補助回路は、
前記主スイッチに並列に接続され、かつ前記主コイルの他端と前記燃料電池の低電位側の端子に接続された、第二ダイオードとスナバコンデンサとを含む第一直列接続体と、
前記第二ダイオードと前記スナバコンデンサとの接続部位と前記主コイルの一端との間に接続された、第三ダイオードと補助コイルと前記補助スイッチとを含む第二直列接続体とを有する請求項１〜３のいずれか１の請求項に記載のコンバータ制御装置。
【請求項５】
燃料電池の出力電圧を制御する主昇圧回路と補助回路とを備えたソフトスイッチングコンバータの制御装置であって、
前記主昇圧回路を構成する主コイル、前記補助回路を構成する補助コイル、補助スイッチの少なくともいずれか１つの素子の温度を検知する温度センサと、
前記温度センサによって検知される温度が、設定される閾値温度を越えている場合に前記補助回路を構成する補助スイッチがオン故障していると判断する判断手段と
を具備する、コンバータ制御装置。
【請求項６】
燃料電池の出力電圧を制御する主昇圧回路と補助回路とを備えたソフトスイッチングコンバータの制御装置であって、
前記ソフトスイッチングコンバータの出力電流を検知する電流センサと、
前記電流センサによって検知される電流が、設定される正常電流閾値を超えない場合に前記補助回路を構成する補助スイッチがオン故障していると判断する判断手段と
を具備する、コンバータ制御装置。
【発明の詳細な説明】
【技術分野】
【０００１】
本発明は、燃料電池の出力電圧を制御するコンバータ制御装置に関する。
【背景技術】
【０００２】
自動車等に搭載される燃料電池システムにおいては、燃料電池の発電能力を超える急な負荷の変化等に対応するため、動力源として燃料電池とバッテリとを備えたハイブリッド型の燃料電池システムが種々提案されている。【０００３】
ハイブリッド型の燃料電池システムにおいては、燃料電池の出力電圧やバッテリの出力電圧をＤＣ／ＤＣコンバータで制御している。このような制御を行うＤＣ／ＤＣコンバータとしては、パワートランジスタ、ＩＧＢＴ、ＦＥＴ等のスイッチング素子をＰＷＭ動作させて電圧の変換を行う形式のものが広く利用されている。ＤＣ／ＤＣコンバータは、電子機器の省電力化、小型化及び高性能化に伴い、一層の低損失、高効率及び低ノイズ化が望まれており、特に、ＰＷＭ動作に伴うスイッチング損失やスイッチングサージの低減が望まれている。【０００４】
このようなスイッチング損失、スイッチングサージを低減させる技術のひとつにソフトスイッチング技術がある。ここで、ソフトスイッチングは、ＺＶＳ(Zero Voltage Switching)又はＺＣＳ(Zero Current Switching)を実現するためのスイッチング方式であり、パワー半導体デバイスのスイッチング損失やそれに与えるストレスが低い。これに対してパワー半導体デバイスの持つスイッチング機能により電圧・電流を直接ターンオン・オフするスイッチング方式はハードスイッチングと称されている。以下の記述においてはＺＶＳ／ＺＣＳの双方もしくはその一方が実現されている方式をソフトスイッチング、それ以外をハードスイッチングという。【０００５】
ソフトスイッチングは、例えば主コイル、主スイッチ、ダイオードを備えた一般的な昇降圧型ＤＣ／ＤＣコンバータに、スイッチング損失を低減するための補助スイッチを備えた補助回路を付加したもの（いわゆるソフトスイッチングコンバータ）によって実現される（例えば特許文献１参照）。
【先行技術文献】
【特許文献】
【０００６】
【特許文献１】特開２００５−１０２４３８号公報
【発明の概要】
【発明が解決しようとする課題】
【０００７】
このようなソフトスイッチングコンバータにおいて、補助回路を構成する補助スイッチにオン故障が生じると、補助回路が制御不能となる。この結果、ソフトスイッチングが実現できないばかりか、主コイルに過電流が生じ、補助回路素子の過熱を招来するおそれがあった。【０００８】
本発明は以上説明した事情を鑑みてなされたものであり、ソフトスイッチングコンバータの補助回路を構成する補助スイッチのオン故障を検知し、補助回路素子の過熱を未然に防止することが可能なコンバータ制御装置を提供することを目的とする。
【課題を解決するための手段】
【０００９】
上記課題を解決するため、本発明に係るコンバータ制御装置は、燃料電池の出力電圧を制御する主昇圧回路と補助回路とを備えたソフトスイッチングコンバータの制御装置であって、主昇圧回路を構成する主コイルに流れる電流を検出する電流センサと、前記電流センサによって検知される電流が、設定される過電流閾値を超えている場合に前記補助回路を構成する補助スイッチがオン故障していると判断する判断手段と、前記補助スイッチがオン故障していると判断された場合に、前記主昇圧回路の動作を停止するフェールセーフ手段とを具備することを特徴とする。【００１０】
かかる構成によれば、主コイルに流れる電流が過電流閾値を超えている場合には、オン故障であると判断し、主昇圧回路の動作を停止するフェールセーフ動作へと移行するため、素子破壊などの問題を未然に防止することが可能となる。【００１１】
また、上記構成にあっては、前記ソフトスイッチングコンバータは、前記主昇圧回路と補助回路を、相毎に備えた多相ソフトスイッチングコンバータであり、前記電流センサは、前記主コイルに流れる電流を相毎に検出し、前記判断手段は、前記補助スイッチがオン故障しているか否かを相毎に判断し、前記フェールセーフ手段は、前記補助スイッチがオン故障していると判断された相の駆動を停止し、残りの相を利用して駆動する態様が好ましい。【００１２】
また、上記構成にあっては、前記過電流閾値は、前記主コイルに与えられるデューティー指令、前記燃料電池の出力電流、及び出力電圧に基づき設定される態様がさらに好ましい。【００１３】
また、上記構成にあっては、前記主昇圧回路は、一端が前記燃料電池の高電位側の端子に接続された前記主コイルと、一端が前記主コイルの他端に接続され、他端が前記燃料電池の低電位側の端子に接続された、スイッチングを行う主スイッチと、カソードが前記主コイルの他端に接続された第一ダイオードと、前記第一ダイオードのアノードと前記主スイッチの他端との間に設けられた平滑コンデンサとを有し、
前記補助回路は、前記主スイッチに並列に接続され、かつ前記主コイルの他端と前記燃料電池の低電位側の端子に接続された、第二ダイオードとスナバコンデンサとを含む第一直列接続体と、
前記第二ダイオードと前記スナバコンデンサとの接続部位と前記主コイルの一端との間に接続された、第三ダイオードと補助コイルと前記補助スイッチとを含む第二直列接続体とを具備する態様がより好ましい。【００１４】
また、本発明に係る別のコンバータ制御装置は、燃料電池の出力電圧を制御する主昇圧回路と補助回路とを備えたソフトスイッチングコンバータの制御装置であって、前記主昇圧回路を構成する主コイル、前記補助回路を構成する補助コイル、補助スイッチの少なくともいずれか１つの素子の温度を検知する温度センサと、前記温度センサによって検知される温度が、設定される閾値温度を越えている場合に前記補助回路を構成する補助スイッチがオン故障していると判断する判断手段とを具備することを特徴とする。【００１５】
また、本発明に係る別のコンバータ制御装置は、燃料電池の出力電圧を制御する主昇圧回路と補助回路とを備えたソフトスイッチングコンバータの制御装置であって、前記ソフトスイッチングコンバータの出力電流を検知する電流センサと、前記電流センサによって検知される電流が、設定される正常電流閾値を超えない場合に前記補助回路を構成する補助スイッチがオン故障していると判断する判断手段とを具備することを特徴とする。
【発明の効果】
【００１６】
本発明によれば、フトスイッチングコンバータの補助回路を構成する補助スイッチのオン故障を検知し、素子破壊等を未然に防止することが可能となる。
【図面の簡単な説明】
【００１７】
【図１】本実施形態に係るＦＣＨＶシステムのシステム構成図である。
【図２】同実施形態に係る多相のＦＣソフトスイッチングコンバータの回路構成を示す図である。
【図３】同実施形態に係るＦＣソフトスイッチングコンバータの１相分の回路構成を示す図である。
【図４】同実施形態に係るソフトスイッチング処理を示すフローチャートである。
【図５】モード１の動作を示す図である。
【図６】モード２の動作を示す図である。
【図７】モード３の動作を示す図である。
【図８】モード４の動作を示す図である。
【図９】モード５の動作を示す図である。
【図１０】モード６の動作を示す図である。
【図１１】モード５のスナバコンデンサＣ２の電圧Ｖｃ、第１スイッチング素子Ｓ１にかかる電圧Ｖｅ、第１スイッチング素子Ｓ１を流れる電流Ｉｅの関係を例示した図である。
【図１２】図１２はモード２からモード３への遷移過程における電圧・電流挙動を示す図である。
【図１３】第２スイッチング素子のオン故障が生じた場合の電流の流れを示す図である。
【図１４】第２スイッチング素子のオン故障が生じた場合の電流の流れを示す図である。
【図１５】第２スイッチング素子のオン故障が生じた場合の第１スイッチング素子Ｓ１に対するデューティー指令、ＦＣ電圧、ＦＣ電流、コイルＬ１に流れる電流の発生を示す図である。
【図１６】本実施形態に係るオン故障判定処理を示すフローチャートである。
【図１７】変形例１に係るオン故障判定処理を示すフローチャートである。
【図１８】変形例２に係るオン故障判定処理を示すフローチャートである。
【図１９】補助回路の他の構成を例示した図である。
【発明を実施するための形態】
【００１８】
Ａ．本実施形態
以下、各図を参照しながら本発明に係わる実施形態について説明する。  図１は本実施形態に係る車両に搭載されたＦＣＨＶシステムの構成を示す。なお、以下の説明では車両の一例として燃料電池自動車（ＦＣＨＶ；Fuel Cell Hybrid Vehicle）を想定するが、電気自動車などにも適用可能である。また、車両のみならず各種移動体（例えば、船舶や飛行機、ロボットなど）や定置型電源、さらには携帯型の燃料電池システムにも適用可能である。
【００１９】
Ａ−１．システムの全体構成
ＦＣＨＶシステム１００は、燃料電池１１０とインバータ１４０の間にＦＣコンバータ２５００が設けられるとともに、バッテリ１２０とインバータ１４０の間にＤＣ／ＤＣコンバータ（以下、バッテリコンバータ）１８０が設けられている。
【００２０】
燃料電池１１０は、複数の単位セルを直列に積層してなる固体高分子電解質型セルスタックである。燃料電池１１０には、燃料電池１１０の出力電圧Ｖｆｃｍｅｓを検出するための電圧センサＶ０、及び出力電流Ｉｆｃｍｅｓを検出するための電流センサＩ０が取り付けられている。燃料電池１１０においては、アノード極において（１）式の酸化反応が生じ、カソード極において（２）式の還元反応が生じ、燃料電池１１０全体としては（３）式の起電反応が生じる。
【００２１】
Ｈ2 → ２Ｈ+＋２ｅ- ・・・（１）
（１／２）Ｏ2＋２Ｈ+＋２ｅ- → Ｈ2Ｏ ・・・（２）
Ｈ2＋（１／２）Ｏ2 → Ｈ2Ｏ ・・・（３）
【００２２】
単位セルは、高分子電解質膜等を燃料極及び空気極の二つの電極で挟み込んだＭＥＡを燃料ガスと酸化ガスとを供給するためのセパレータで挟み込んだ構造を有している。アノード極はアノード極用触媒層を多孔質支持層上に設けてあり、カソード極はカソード極用触媒層を多孔質支持層上に設けてある。
【００２３】
燃料電池１１０には、燃料ガスをアノード極に供給する系統、酸化ガスをカソード極に供給する系統、及び冷却液を提供する系統（いずれも図示略）が設けられており、コントローラ１６０からの制御信号に応じて、燃料ガスの供給量や酸化ガスの供給量を制御することにより、所望の電力を発電することが可能となっている。
【００２４】
ＦＣコンバータ２５００は、燃料電池１１０の出力電圧Ｖｆｃｍｅｓを制御する役割を担っており、一次側（入力側：燃料電池１１０側）に入力された出力電圧Ｖｆｃｍｅｓを、一次側と異なる電圧値に変換（昇圧または降圧）して二次側（出力側：インバータ１４０側）に出力し、また逆に、二次側に入力された電圧を、二次側と異なる電圧に変換して一次側に出力する双方向の電圧変換装置である。このＦＣコンバータ２５００により、燃料電池１１０の出力電圧Ｖｆｃｍｅｓが目標出力に応じた電圧となるように制御する。
【００２５】
バッテリ１２０は、負荷１３０に対して燃料電池１１０と並列に接続されており、余剰電力の貯蔵源、回生制動時の回生エネルギ貯蔵源、燃料電池車両の加速又は減速に伴う負荷変動時のエネルギーバッファとして機能する。バッテリ１２０としては、例えば、ニッケル・カドミウム蓄電池、ニッケル・水素蓄電池、リチウム二次電池等の二次電池が利用される。
【００２６】
バッテリコンバータ１８０は、インバータ１４０の入力電圧を制御する役割を担っており、例えばＦＣコンバータ２５００と同様の回路構成を有している。なお、バッテリコンバータ１８０として昇圧型のコンバータを採用しても良いが、これに代えて昇圧動作および降圧動作が可能な昇降圧型のコンバータを採用しても良く、インバータ１４０の入力電圧の制御が可能なあらゆる構成を採用することができる。
【００２７】
インバータ１４０は、例えばパルス幅変調方式で駆動されるＰＷＭインバータであり、コントローラ１６０からの制御指令に従って、燃料電池１１０またはバッテリ１２０から出力される直流電力を三相交流電力に変換して、トラクションモータ１３１の回転トルクを制御する。
【００２８】
トラクションモータ１３１は、本車両の主動力となるものであり、減速時には回生電力を発生するようにもなっている。ディファレンシャル１３２は減速装置であり、トラクションモータ１３１の高速回転を所定の回転数に減速し、タイヤ１３３が設けられたシャフトを回転させる。シャフトには図示せぬ車輪速センサ等が設けられ、これにより当該車両の車速等が検知される。なお、本実施形態では、燃料電池１１０から供給される電力を受けて動作可能な全ての機器（トラクションモータ１３１、ディファレンシャル１３２を含む）を負荷１３０と総称している。
【００２９】
コントローラ１６０は、ＦＣＨＶシステム１００の制御用のコンピュータシステムであり、例えばＣＰＵ、ＲＡＭ、ＲＯＭ等を備えている。コントローラ１６０は、センサ群１７０から供給される各種の信号（例えば、アクセル開度をあらわす信号や車速をあらわす信号、燃料電池１１０の出力電流や出力端子電圧をあらわす信号など）を入力して、負荷１３０の要求電力（すなわち、システム全体の要求電力）を求める。
【００３０】
負荷１３０の要求電力は、例えば車両走行電力と補機電力との合計値である。補機電力には車載補機類（加湿器、エアコンプレッサ、水素ポンプ、及び冷却水循環ポンプ等）で消費される電力、車両走行に必要な装置（変速機、車輪制御装置、操舵装置、及び懸架装置等）で消費される電力、乗員空間内に配設される装置（空調装置、照明器具、及びオーディオ等）で消費される電力などが含まれる。
【００３１】
そして、コントローラ（コンバータ制御装置）１６０は、燃料電池１１０とバッテリ１２０とのそれぞれの出力電力の配分を決定し、発電指令値を演算する。コントローラ１６０は、燃料電池１１０及びバッテリ１２０に対する要求電力を求めると、これらの要求電力が得られるようにＦＣコンバータ２５００及びバッテリコンバータ１８０の動作を制御する。
【００３２】
Ａ−２．ＦＣコンバータの構成
図１に示すように、ＦＣコンバータ２５００は、Ｕ相、Ｖ相、Ｗ相によって構成された三相の共振型コンバータとしての回路構成を備えている。三相共振型コンバータの回路構成は、入力された直流電圧を一旦交流に変換するインバータ類似の回路部分と、その交流を再び整流して異なる直流電圧に変換する部分とが組み合わされている。本実施形態では、ＦＣコンバータ２５００としてフリーホイール回路（詳細は後述）を備えた多相のソフトスイッチングコンバータ（以下、多相のＦＣソフトスイッチングコンバータ）を採用している。
【００３３】
Ａ−２−１．多相のＦＣソフトスイッチングコンバータの説明
図２は、ＦＣＨＶシステム１００に搭載される多相のＦＣソフトスイッチングコンバータ２５００の回路構成を示す図であり、図３は、多相のＦＣソフトスイッチングコンバータ２５００の１相分の回路構成を示す図である。
【００３４】
以下の説明では、多相のＦＣソフトスイッチングコンバータ２５００を構成するＵ相、Ｖ相、Ｗ相のＦＣソフトスイッチングコンバータを、それぞれＦＣソフトスイッチングコンバータ２５０ａ、２５ｂ、２５０ｃと呼び、特に区別する必要がない場合には、単にＦＣソフトスイッチングコンバータ２５０と呼ぶ。また、ＦＣソフトスイッチングコンバータ２５０に入力される昇圧前の電圧をコンバータ入力電圧Ｖｉｎと呼び、ＦＣソフトスイッチングコンバータ２５０から出力される昇圧後の電圧をコンバータ出力電圧Ｖｏｕｔと呼ぶ。
【００３５】
図３に示すように、各ＦＣソフトスイッチングコンバータ２５０は、昇圧動作を行うための主昇圧回路２２ａと、ソフトスイッチング動作を行うための補助回路２２ｂと、フリーホイール回路２２ｃを備えて構成されている。
主昇圧回路２２ａは、ＩＧＢＴ（Insulated Gate Bipolar Transistor）などからなる第１スイッチング素子Ｓ１とダイオードＤ４で構成されるスイッチング回路のスイッチ動作によって、コイルＬ１に蓄えられたエネルギを負荷１３０にダイオードＤ５を介して解放することで燃料電池１１０の出力電圧を昇圧する。
【００３６】
詳述すると、コイルＬ１の一端が燃料電池１１０の高電位側の端子に接続され、第１スイッチング素子Ｓ１の一端の極がコイルＬ１の他端に接続され、第１のスイッチング素子Ｓ１の他端の極が燃料電池１１０の低電位側の端子に接続されている。また、ダイオードＤ５のカソード端子がコイルＬ１の他端に接続され、さらに、平滑コンデンサとして機能するコンデンサＣ３は、ダイオードＤ５のアノード端子と第１スイッチング素子Ｓ１の他端との間に接続されている。主昇圧回路２２ａには、燃料電池１１０側に平滑コンデンサＣ１が設けられており、これにより燃料電池１１０の出力電流のリップルを低減することが可能となる。なお、燃料電池１１０とコイルＬ１との間には、コイルＬ１に流れる電流を検知するための電流センサＳｉ１が設けられている。
【００３７】
ここで、コンデンサＣ３にかかる電圧ＶＨは、ＦＣソフトスイッチングコンバータ１５０のコンバータ出力電圧Ｖｏｕｔとなり、平滑コンデンサＣ１にかかる電圧ＶＬは、燃料電池１１０の出力電圧であってＦＣソフトスイッチングコンバータ１５０のコンバータ入力電圧Ｖｉｎとなる。
【００３８】
補助回路２２ｂには、第１スイッチング素子Ｓ１に並列に接続された、クランプダイオードＤ３とこのクランプダイオードＤ３に直列に接続されたスナバコンデンサＣ２とを含む第１直列接続体が含まれている。第１直列接続体は、クランプダイオードＤ３のカソード端子がコイルＬ１の他端に接続され、クランプダイオードＤ３のアノード端子がスナバコンデンサＣ２の一端に接続されている。さらに、スナバコンデンサＣ２の他端は、燃料電池１１０の低電位側の端子に接続されている。なお、スナバコンデンサＣ２の両端電圧を検知する電圧センサＳｖ２が設けられている。
【００３９】
さらに、補助回路２２ｂには、ダイオードＤ２と第２スイッチング素子Ｓ２及びダイオードＤ１と、各相に共通の補助コイルＬ２によって構成された第２直列接続体が含まれる。
第２直列接続体は、ダイオードＤ２のアノード端子が第１直列接続体のダイオードＤ３とスナバコンデンサＣ２との接続部位に接続されている。さらに、ダイオードＤ２のカソード端子が第２スイッチング素子（補助スイッチ）Ｓ２の一端の極に接続されている。また、第２スイッチング素子Ｓ２の他端の極は、補助コイルＬ２とフリーホイール回路２２ｃの接続部位に接続されている。フリーホイールダイオードＤ６のアノード端子は、燃料電池１１０の低電位側に接続される一方、フリーホイールダイオードＤ６のカソード端子は補助コイルＬ２に接続されている。このフリーホイール回路２２ｃは、各相に共通のフリーホイールダイオードＤ６を備えており、補助コイルＬ２が通電中に第２スイッチング素子Ｓ２がオープン故障などした場合であっても、第２スイッチング素子Ｓ２を破壊するようなサージ電圧の発生を未然に防ぐために設けられたフェールセーフ機能を実現するための回路である。なお、フリーホイール回路２２ｃを備えていない構成にも本発明を適用可能である。
【００４０】
このように構成されるＦＣソフトスイッチングコンバータ２５０においては、コントローラ１６０が各相の第１スイッチング素子Ｓ１のスイッチングデューティー比を調整することで、ＦＣソフトスイッチングコンバータ２５０による昇圧比、すなわちコンバータ入力電圧Ｖｉｎに対するコンバータ出力電圧Ｖｏｕｔの比が制御される。また、第１スイッチング素子Ｓ１のスイッチング動作において補助回路１２ｂの第２スイッチング素子Ｓ２のスイッチング動作を介在させることで、ソフトスイッチングが実現される。
【００４１】
次に、ＦＣソフトスイッチングコンバータ２５０によるソフトスイッチング動作について、図４等を参照しながら説明する。図４は、ソフトスイッチング動作を介したＦＣソフトスイッチングコンバータ２５０の一サイクルの処理（以下、ソフトスイッチング処理）を示すフローチャートであり、コントローラ１６０が図４に示すステップＳ１０１〜Ｓ１０６を順次実行することによって一サイクルを形成する。なお、以下の説明では、ＦＣソフトスイッチングコンバータ２５０の電流、電圧の状態をあらわすモードをそれぞれモード１〜モード６として表現し、その状態を図５〜図１０に示す。また、図５〜図１０では回路を流れる電流を矢印で示す。
【００４２】
＜ソフトスイッチング動作＞
まず、図４に示すソフトスイッチング処理が行われる初期状態は、燃料電池１１０から負荷１３０に要求される電力が供給されている状態、すなわち第１スイッチング素子Ｓ１、第２スイッチング素子Ｓ２がともにターンオフされることで、コイルＬ１、ダイオードＤ５を介して電流が負荷１３０に供給される状態にある。
【００４３】
（モード１；図５参照）
ステップＳ１０１においては、第１スイッチング素子Ｓ１のターンオフを保持する一方、第２スイッチング素子Ｓ２をターンオンする。かかるスイッチング動作を行うと、ＦＣソフトスイッチングコンバータ１５０の出力電圧ＶＨと入力電圧ＶＬの電位差により、負荷１３０側に流れていた電流がコイルＬ１、ダイオードＤ３、第２スイッチング素子Ｓ２、補助コイルＬ２を介して補助回路１２ｂ側に徐々に移行してゆく。なお、図５中では、負荷１３０側から補助回路１２ｂ側への電流の移行の様子を白抜き矢印で示している。
【００４４】
また、第２スイッチング素子Ｓ２をターンオンすることにより、図５に示す矢印Ｄｍ１１の向きに電流の循環が発生する。ここで、第２スイッチング素子Ｓ２の電流変化速度は、補助コイルＬ２の両端電圧（ＶＨ−ＶＬ）と補助コイルＬ２のインダクタンスに従い増加していくが、第２スイッチング素子Ｓ２に流れる電流は補助コイルＬ２により抑制されるため、結果としてダイオードＤ５を介して負荷１３０側に流れる電流（図５に示す矢印Ｄｍ１２参照）のソフトターンオフが実現される。
ここで、モード１からモード２への遷移完了時間ｔｍｏｄｅ１は下記式（４）によって表される。
2010150338.tif 000003
Ｉｐ；相電流
Ｌ２ｉｄ；補助コイルＬ２のインダクタンス
【００４５】
（モード２；図６参照）
上記遷移完了時間が経過し、ステップＳ１０２に移行すると、ダイオードＤ５を流れる電流はゼロとなり、コイルＬ１及びダイオードＤ５を介して補助回路１２ｂ側に電流が流れ込むとともに（図６に示す矢印Ｄｍ２１参照）、代わってスナバコンデンサＣ２と燃料電池１１０の電圧ＶＬとの電位差により、スナバコンデンサＣ２にチャージされていた電荷が補助回路１２ｂ側に流れてゆく（図６に示す矢印Ｄｍ２２参照）。このスナバコンデンサＣ２の容量に応じて、第１スイッチング素子Ｓ１にかかる電圧が決定される。
【００４６】
ここで、図１２はモード２からモード３への遷移過程における電圧・電流挙動を示す図であり、燃料電池１１０の電圧を太実線、スナバコンデンサＣ２の電圧を細実線、スナバコンデンサＣ２の電流を破線で示している。
図６に示すＤｍ２１の経路の通電が開始された後（図１２に示す（Ａ）参照）、スナバコンデンサＣ２の電圧ＶＨと燃料電池１１０の電圧ＶＬとの電位差により、図６に示すＤｍ２２の経路の通電、すなわち補助コイルＬ２への通電が開始される（図１２に示す（Ｂ）参照）。ここで、図１２に示すように、スナバコンデンサＣ２の電流は、スナバコンデンサＣ２の電圧が料電池１１０の電圧ＶＬに到達するまで上昇し続ける。
【００４７】
詳述すると、スナバコンデンサＣ２の電圧ＶＨと燃料電池１１０の電圧ＶＬの電位差によってスナバコンデンサＣ２に蓄積された電荷が電源側に回生され始めるが（図６に示す矢印Ｄｍ２２）、もともとの電位差は（ＶＨ−ＶＬ）であるため、スナバコンデンサＣ２に蓄積された電荷の流れ（放電）は電源電圧（すなわち燃料電池１１０の電圧ＶＬ）に到達したところ（図１２に示すタイミングＴｔ１）でとまってしまうところ、補助コイルＬ２の特性（すなわち、電流を流し続けようとする特性）により、スナバコンデンサＣ２の電圧がＶＬ以下になっても電荷を流し続けようとする（図１２に示す（Ｃ）参照）。このとき、下記式（４）’が成立すれば、スナバコンデンサＣ２の電荷はすべて流れる（放電）ことになる。
2010150338.tif 000004
左辺；補助コイルＬ２に蓄積されたエネルギ
右辺；スナバコンデンサＣ２に残存するエネルギ
【００４８】
スナバコンデンサＣ２に蓄積された電荷がなくなると、図６に示すＤｍ２３の経路でフリーホイール動作を行い、通電を継続する（図１２に示す（Ｄ）参照）。これにより、補助コイルＬ２に蓄積されたエネルギが全て放出される。なお、補助コイルＬ２の一端にはダイオードＤ２のアノードが接続されているため、ＬＣ共振は半波で止まる。このため、スナバコンデンサＣ２は、放電後に０Ｖを保持することになる。
【００４９】
ここで、モード２からモード３への遷移完了時間ｔｍｏｄｅ２は下記式（５）によって表される。
2010150338.tif 000005
2010150338.tif 000006
Ｃ２ｄ；コンデンサＣ２の容量
【００５０】
（モード３；図７参照）
図６に示すＤｍ２２の経路で電流が流れる動作が終了し、スナバコンデンサＣ２の電荷が抜けきる、あるいは最小電圧（ＭＩＮ電圧）となると、第１スイッチング素子Ｓ１がターンオンされ、ステップＳ１０３に移行する。スナバコンデンサＣ２の電圧がゼロとなった状態では、第１スイッチング素子Ｓ１にかかる電圧もゼロとなるため、ＺＶＳ（Zero Voltage Switching）が実現される。かかる状態では、コイルＬ１に流れる電流Ｉｌ１は、矢印Ｄｍ３１に示す補助回路１２ｂ側に流れる電流Ｉｄｍ３１と矢印Ｄｍ３２に示す第１スイッチング素子Ｓ１を介して流れる電流Ｉｄｍ３２の和となる（下記式（６）参照）。
2010150338.tif 000007
【００５１】
ここで、第１スイッチング素子Ｓ１に流れる電流Ｉｄｍ３１は、補助回路１２ｂ側に流れる電流Ｉｄｍ３１の減少速度に応じて決定される。補助回路１２ｂ側に流れる電流Ｉｄｍ３１の電流変化速度は下記式（７）によって表わされる、すなわち補助回路１２ｂ側に流れる電流Ｉｄｍ３１は下記式（７）の変化速度で減少していくため、第１スイッチング素子Ｓ１をターンオンしたとしても第１スイッチング素子Ｓ１に流れる電流が急に立ち上がることはなく、ＺＣＳ（Zero Current Switching）が実現される。
2010150338.tif 000008
【００５２】
（モード４；図８参照）
そして、ステップＳ１０４では、ステップＳ１０３の状態が継続することで、コイルＬ１に流れ込んでいく電流量を増加させてコイルＬ１に蓄えられるエネルギを徐々に増加してゆく（図８に矢印Ｄｍ４２参照）。ここで、補助回路１２ｂにはダイオードＤ２が存在するため、補助コイルＬ２に逆電流は流れず、第２スイッチング素子Ｓ２を介してスナバコンデンサＣ２に充電が行われることはない。また、この時点で第１スイッチング素子Ｓ１はターンオンしているため、ダイオードＤ３を経由してスナバコンデンサＣ２に充電が行われることもない。従って、コイルＬ１の電流＝第１スイッチング素子Ｓ１の電流となり、コイルＬ１に蓄えられるエネルギを徐々に増加してゆく。ここで、第１スイッチング素子Ｓ１のターンオン時間Ｔｓ１は、下記式（８）によって近似的に表される。
2010150338.tif 000009
Ｔｃｏｎ；制御周期
なお、制御周期とは、ステップＳ１０１〜ステップＳ１０６までの一連の処理を一周期（一サイクル）としたときのソフトスイッチング処理の時間周期を意味する。
【００５３】
（モード５；図９参照）
ステップＳ１０４においてコイルＬ１に所望のエネルギが蓄えられると、第１スイッチング素子Ｓ１２がターンオフされ、図９に矢印Ｄｍ５１で示す経路に電流が流れる。ここで、図１１は、モード５におけるスナバコンデンサＣ２の電圧Ｖｃ、第１スイッチング素子Ｓ１にかかる電圧Ｖｅ、第１スイッチング素子Ｓ１を流れる電流Ｉｅの関係を例示した図である。上記スイッチング動作が行われると、モード２において電荷が抜かれて低電圧状態となっているスナバコンデンサＣ２に電荷がチャージされ、これにより、スナバコンデンサＣ２の電圧ＶｃはＦＣソフトスイッチングコンバータ１５０のコンバータ出力電圧ＶＨに向かって上昇する。このとき、第１スイッチング素子Ｓ１にかかる電圧Ｖｅの上昇速度は、スナバコンデンサＣ２への充電により抑制され（すなわち、電圧の立ち上がりが鈍化され）、第１スイッチング素子Ｓ１を流れる電流Ｉｅにおいてテール電流が存在する領域（図１１に示すα参照）でのスイッチング損失を低減するＺＶＳ動作をすることが可能となる。
【００５４】
（モード６；図１０参照）
スナバコンデンサＣ２が電圧ＶＨまで充電されると、コイルＬ１に蓄えられたエネルギが負荷１３０側に解放される（図１０に示す矢印Ｄｍ６１参照）。ここで、第１スイッチング素子Ｓ１のターンオフ時間Ｔｓ２は、下記式（９）によって近似的に表される。
2010150338.tif 000010
【００５５】
以上説明したソフトスイッチング処理を行うことでＦＣソフトスイッチングコンバータ１５０のスイッチング損失を可及的に抑制した上で、燃料電池１１０の出力電圧を所望の電圧に上昇し、負荷１３０に供給することが可能となる。
【００５６】
＜第２スイッチング素子Ｓ２のオン故障判定＞
ここで、図１３、図１４は、オン故障が生じた場合に還流電流Ｉｒｅが生じるメカニズムを説明するための図である。
まず、第１スイッチング素子Ｓ１がオンすると、コイルＬ１→スイッチング素子Ｓ１という電流経路（図１３の矢印Ｄｍ１００参照）が生じ、コイルＬ１に流れる電流が増加してゆく。そして、この第１スイッチング素子Ｓ１がオフすると、図１４の矢印Ｄｍ１０１で示す経路に電流が流れ、スナバコンデンサＣ２に電荷がチャージさることにより、スナバコンデンサＣ２の電圧Ｖｃは上昇する。このとき、第２スイッチング素子Ｓ２はオン状態であるため、コイルＬ１の両端は短絡し、図１４の矢印Ｄｍ１０２で示す短絡経路に還流電流Ｉｒｅが発生する。
【００５７】
第１スイッチング素子Ｓ１は、コントローラ１６０から与えられるデューティー指令（例えばデューティー５０％）に従ってオン、オフ動作を繰り返すこととなり、この第１スイッチング素子Ｓ１のオン、オフ動作により、コイルＬ１に流れる電流は増加し続けることになる。
【００５８】
図１５は、オン故障が生じた場合の第１スイッチング素子Ｓ１に対するデューティー指令、ＦＣ電圧、ＦＣ電流、コイルＬ１に流れる電流の発生を示す図である。
コントローラ１６０は、第１スイッチング素子Ｓ１に対するデューティー指令を開始すると（図１５に示すＴｄｓ参照）、ＦＣ電圧は減少するとともにＦＣ電流は増加する。
一方、コイルＬ１に流れる電流は、図１３と図１４に示す電流の流れが交互に繰り返されることにより、増加し続ける。
【００５９】
コントローラ１６０は、電流センサＳｉ１によりコイルＬ１に流れる電流（以下、Ｌ１電流）を逐次検知し、検知されるＬ１電流がメモリ（図示略）に格納されている過電流閾値Ｉｔｈを超えたか否かを判断する。コントローラ１６０は、Ｌ１電流が過電流閾値Ｉｔｈを超えたと判断すると、第２スイッチング素子Ｓ２がオン故障していると判断し、この第２スイッチング素子Ｓ２を備えた補助回路２２ｂのコンバータ２５０（例えばＵ相コンバータなど）の駆動を停止することで、フェールセーフ動作を行う。なお、過電流閾値Ｉｔｈは、コイルＬ１に与えられるデューティー指令、ＦＣ電流、ＦＣ電圧に対して取り得る範囲（公差やバラツキも含む）を越えた値とすれば良く、かかる過電流閾値Ｉｔｈは予め実験などによって求めることができる。以下、第２スイッチング素子Ｓ２のオン故障判定処理について、図１６を参照しながら説明する。
【００６０】
図１６は、コントローラ１６０によって実行される補助回路２２ｂにおける第２スイッチング素子Ｓ２のオン故障判定処理を示すフローチャートである。
コントローラ１６０は、スイッチング素子Ｓ１に対するデューティー指令の出力を開始すると（ステップＳ１）、電流センサＳｉ１を利用してＬ１電流の検出を開始し、Ｌ１電流と過電流閾値Ｉｔｈとの比較を行う（ステップＳ２）。コントローラ１６０は、検出されるＬ１電流が過電流閾値Ｉｔｈ未満である場合には、第２スイッチング素子Ｓ２は正常に動作していると判断し、処理を終了する。
【００６１】
一方、コントローラ（判断手段）１６０は、検出されるＬ１電流が過電流閾値Ｉｔｈ以上である場合には、第２スイッチング素子Ｓ２にオン故障が生じていると判断し、この第２スイッチング素子Ｓ２を備えた補助回路２２ｂのコンバータ２５０（例えばＵ相コンバータなど）の駆動を停止することで、フェールセーフ動作を行い（ステップＳ３）、処理を終了する。なお、オン故障が生じて特定の相（例えばＵ相コンバータ）の駆動を停止した場合には、残りの相（例えばＶ相コンバータやＷ相コンバータのいずれか、あるいは両方）を利用して駆動すれば良い。
【００６２】
周知のとおり、コイルＬ１に過電流が生じると、最悪の場合には異常過熱により周辺素子の破壊を招来するなどの問題が発生する。そこで、本実施形態では、上記の如く補助回路２２ｂの第２スイッチング素子Ｓ２にオン故障が生じていると判断された相のコンバータについては、駆動を停止し、これにより補助回路素子の過熱などの問題を未然に防止することが可能となる。
【００６３】
Ｂ．変形例
＜変形例１＞
上述した本実施形態では、コイルＬ１に過電流が発生したことを検知することで（別言すれば、Ｌ１電流が過電流閾値Ｉｔｈを超えたことを検知することで）、第２スイッチング素子Ｓ２にオン故障が生じたと判断したが、これに限る趣旨ではない。例えば、コイルＬ１やコイルＬ２、スイッチング素子Ｓ２など、図１４に示す還流電流が流れるいずれか（または複数）の素子の温度を検出する温度センサを設け、この温度センサによって検知される素子温度が、メモリ（図示略）に格納された異常過熱閾値（閾値温度）Ｔｔｈを超えたか否かを判断することで、第２スイッチング素子Ｓ２にオン故障が生じているか否かを判断しても良い。
【００６４】
ここで、図１７は、変形例１に係るコントローラ１６０によって実行される補助回路２２ｂにおける第２スイッチング素子Ｓ２のオン故障判定処理を示すフローチャートである。なお、図１６に示すステップと対応する部分には同一符号を付し、説明を省略する。
【００６５】
コントローラ１６０は、スイッチング素子Ｓ１に対するデューティー指令の出力を開始すると（ステップＳ１）、温度センサを利用してコイルＬ１、コイルＬ２、第２スイッチング素子Ｓ２の少なくともいずれか１つ以上の素子温度の検出を開始し、検出した素子温度と異常過熱閾値Ｔｔｈとの比較を行う（ステップＳａ２）。コントローラ１６０は、温度センサによって検知される素子温度が、メモリ（図示略）に格納された異常過熱閾値Ｔｔｈ未満である場合には、第２スイッチング素子Ｓ２は正常であると判断し、処理を終了する。一方、コントローラ（判断手段）１６０は、検知される素子温度が異常過熱閾値Ｔｔｈを超えたことを検知した場合には、第２スイッチング素子Ｓ２にオン故障が生じたことを判断し、この第２スイッチング素子Ｓ２を備えた補助回路２２ｂのコンバータ２５０（例えばＵ相コンバータなど）の駆動を停止することで、フェールセーフ動作を行い（ステップＳ３）、処理を終了する。
【００６６】
＜変形例２＞
また、コンバータの出力側の電流に基づき、第２スイッチング素子Ｓ２にオン故障が生じているか否かを判断しても良い。図１３及び図１４に示すように、第２スイッチング素子Ｓ２にオン故障が生じると、当該コンバータから負荷１３０に向けて電流は流れなくなる。そこで、変形例２では、例えばダイオードＤ５と負荷１３０との間に電流センサ（図示略；以下、出力電流センサ）を設け、この出力電流センサによってコンバータの出力側の電流（以下、コンバータ出力電流）を検知する。出力電流センサによって検知されるコンバータ出力電流が、メモリに格納される正常電流下限値（正常電流閾値）Ｉｎｔｈを越えない場合には、第２スイッチング素子Ｓ２にオン故障が生じていると判断することができる。なお、正常電流下限値Ｉｎｔｈについては別途実験などによって求めることができる。
【００６７】
ここで、図１８は、変形例２に係るコントローラ１６０によって実行される補助回路２２ｂにおける第２スイッチング素子Ｓ２のオン故障判定処理を示すフローチャートである。なお、図１６に示すステップと対応する部分には同一符号を付し、説明を省略する。
【００６８】
コントローラ１６０は、スイッチング素子Ｓ１に対するデューティー指令を開始すると（ステップＳ１）、出力電流センサを利用してコンバータ出力電流の検出を開始し、コンバータ出力電流と正常電流下限値Ｉｎｔｈとの比較を行う（ステップＳｂ２）。コントローラ１６０は、所定時間内に、出力電流センサによって検知されるコンバータ出力電流が、メモリ（図示略）に格納された正常電流下限値Ｉｎｔｈを越えた場合には、第２スイッチング素子Ｓ２は正常であると判断し、処理を終了する。一方、コントローラ（判断手段）１６０は、所定時間内に、検知されるコンバータ出力電流が、正常電流下限値Ｉｎｔｈを越えない場合には、第２スイッチング素子Ｓ２にオン故障が生じたことを判断し、この第２スイッチング素子Ｓ２を備えた補助回路２２ｂのコンバータ２５０（例えばＵ相コンバータなど）の駆動を停止することで、フェールセーフ動作を行い（ステップＳ３）、処理を終了する。
【００６９】
＜変形例３＞
また、上述した本実施形態では、補助回路２２ｂに含まれる第２直列接続体として、ダイオードＤ２のアノード端子が第１直列接続体のダイオードＤ３とスナバコンデンサＣ２との接続部位に接続され、ダイオードＤ２のカソード端子が第２スイッチング素子（補助スイッチ）Ｓ２の一端の極に接続されている例を説明したが（図３参照）、この第２直列接続体の回路トポロジーについて、コイルＬ２、ダイオードＤ２、第２スイッチング素子Ｓ２などによるスイッチング回路の直列順序は適宜入れ替えた態様も採用し得る。具体的には、図１９に示すように、フリーホイール回路２２ｃを除くとともにコイルＬ２と第２スイッチング素子Ｓ２などによるスイッチング回路の順序を入れ替えても良い。
【符号の説明】
【００７０】
１００…ＦＣＨＶシステム、１１０…燃料電池、１２０…バッテリ、１３０…負荷、１４０…インバータ、２５００…ＦＣコンバータ、１６０…コントローラ、１７０…センサ群、１８０…バッテリコンバータ、２５０…ＦＣソフトスイッチングコンバータ、２２ａ…主昇圧回路、２２ｂ…補助回路、２２ｃ…フリーホイール回路、Ｓ１,Ｓ２…スイッチング素子、Ｃ１,Ｃ３…平滑コンデンサ、Ｃ２…スナバコンデンサ、Ｌ１,Ｌ２,…コイル、Ｄ１,Ｄ２,Ｄ３,Ｄ４,Ｄ５…ダイオード、Ｄ６…フリーホイールダイオード。
【図１】
2010150338.tif 000011
【図２】
2010150338.tif 000012
【図３】
2010150338.tif 000013
【図４】
2010150338.tif 000014
【図５】
2010150338.tif 000015
【図６】
2010150338.tif 000016
【図７】
2010150338.tif 000017
【図８】
2010150338.tif 000018
【図９】
2010150338.tif 000019
【図１０】
2010150338.tif 000020
【図１１】
2010150338.tif 000021
【図１２】
2010150338.tif 000022
【図１３】
2010150338.tif 000023
【図１４】
2010150338.tif 000024
【図１５】
2010150338.tif 000025
【図１６】
2010150338.tif 000026
【図１７】
2010150338.tif 000027
【図１８】
2010150338.tif 000028
【図１９】
2010150338.tif 000029
【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
燃料電池の出力電圧を制御する主昇圧回路と補助回路とを備えたソフトスイッチングコンバータの制御装置であって、
主昇圧回路を構成する主コイルに流れる電流を検出する電流センサと、
前記電流センサによって検知される電流が、設定される過電流閾値を超えている場合に前記補助回路を構成する補助スイッチがオン故障していると判断する判断手段と、
前記補助スイッチがオン故障していると判断された場合に、前記主昇圧回路の動作を停止するフェールセーフ手段と
を具備する、コンバータ制御装置。
【請求項２】
前記ソフトスイッチングコンバータは、
前記主昇圧回路と補助回路を、相毎に備えた多相ソフトスイッチングコンバータであり、
前記電流センサは、前記主コイルに流れる電流を相毎に検出し、
前記判断手段は、前記補助スイッチがオン故障しているか否かを相毎に判断し、
前記フェールセーフ手段は、前記補助スイッチがオン故障していると判断された相の駆動を停止し、残りの相を利用して駆動する、請求項１に記載のコンバータ制御装置。
【請求項３】
前記過電流閾値は、前記主コイルに与えられるデューティー指令、前記燃料電池の出力電流、及び出力電圧に基づき設定される、請求項１または２に記載のコンバータ制御装置。
【請求項４】
前記主昇圧回路は、
一端が前記燃料電池の高電位側の端子に接続された前記主コイルと、
一端が前記主コイルの他端に接続され、他端が前記燃料電池の低電位側の端子に接続された、スイッチングを行う主スイッチと、
アノードが前記主コイルの他端に接続された第一ダイオードと、
前記第一ダイオードのカソードと前記主スイッチの他端との間に設けられた平滑コンデンサとを有し、
前記補助回路は、
前記主スイッチに並列に接続され、かつ前記主コイルの他端と前記燃料電池の低電位側の端子に接続された、第二ダイオードとスナバコンデンサとを含む第一直列接続体と、
前記第二ダイオードと前記スナバコンデンサとの接続部位と前記主コイルの一端との間に接続された、第三ダイオードと補助コイルと前記補助スイッチとを含む第二直列接続体とを有する請求項１〜３のいずれか１の請求項に記載のコンバータ制御装置。
【請求項５】
燃料電池の出力電圧を制御する主昇圧回路と補助回路とを備えたソフトスイッチングコンバータの制御装置であって、
前記主昇圧回路を構成する主コイル、前記補助回路を構成する補助コイル、補助スイッチの少なくともいずれか１つの素子の温度を検知する温度センサと、
前記温度センサによって検知される温度が、設定される閾値温度を越えている場合に前記補助回路を構成する補助スイッチがオン故障していると判断する判断手段と
を具備する、コンバータ制御装置。
【請求項６】
燃料電池の出力電圧を制御する主昇圧回路と補助回路とを備えたソフトスイッチングコンバータの制御装置であって、
前記ソフトスイッチングコンバータの出力電流を検知する電流センサと、
前記電流センサによって検知される電流が、設定される正常電流閾値を超えない場合に前記補助回路を構成する補助スイッチがオン故障していると判断する判断手段と
を具備する、コンバータ制御装置。
【国際調査報告】
2010150338.tif 000030
2010150338.tif 000031
2010150338.tif 000032
2010150338.tif 000033